(57)【要約】【課題】本発明は、ヒンジ本体に、ヒンジ機能以外の付加機能を備えた折畳み式携帯機器を提供することを目的とする。【解決手段】第２筐体２に連結されたヒンジ本体４は、第１筐体１に連結されたヒンジ部３により、回転可能に連結され、該ヒンジ本体４は、ヒンジ機能と該ヒンジ機能以外の付加機能を有することを特徴とする。【選択図】図１
2011120037.tif 000002
【特許請求の範囲】
【請求項１】
第１筐体と、第２筐体と、前記第１筐体に連結されているヒンジ部と、
前記第２筐体に連結され、前記ヒンジ部と回転可能に連結されたヒンジ本体とを有し、
前記ヒンジ本体は、ヒンジ機能と該ヒンジ機能以外の付加機能を有することを特徴とする折畳み式携帯機器。
【請求項２】
第１筐体と、第２筐体と、前記第１筐体に連結されているヒンジ部と、
前記第２筐体に連結され、前記ヒンジ部とヒンジ回転軸を通して回転可能に連結されたヒンジ本体とを有し、
前記ヒンジ本体は支持部を内含し、前記ヒンジ回転軸は前記第１筐体と前記支持部に連結し、
前記第１筐体と前記第２筐体が開状態では、前記支持部は前記ヒンジ本体から突出し、
前記第１筐体と前記第２筐体が閉状態では、前記支持部は前記ヒンジ本体から突出しない
ことを特徴とする折畳み式携帯機器。
【請求項３】
請求項２に記載の折畳み式携帯機器において、
前記ヒンジ本体は、前記ヒンジ部により回転可能に挟持されている
ことを特徴とする折畳み式携帯機器。
【請求項４】
請求項２又は３に記載の折畳み式携帯機器において、
前記ヒンジ本体は副操作面窓を有し、
前記支持部は前記副操作面窓おいて、
前記ヒンジ回転軸の方向に垂直な断面の形状として、円弧形状部分及び前記円弧形状部分以外の部分を有し、
前記第１筐体と前記第２筐体が開状態では、前記円弧形状部分が前記副操作面窓から突出し、前記支持部を形成し、
前記第１筐体と前記第２筐体が閉状態では、前記円弧形状部分以外の部分が、前記副操作面窓と対面することにより前記副操作面窓から突出しない
ことを特徴とする折畳み式携帯機器。
【請求項５】
請求項４に記載の折畳み式携帯機器において、
前記ヒンジ本体は、前記副操作面窓に対向する操作面窓と、前記円弧形状部分以外の部分に設けられた機能部とを有し、
前記第１筐体と前記第２筐体が開状態では、前記円弧形状部分が前記副操作面窓から突出して前記支持部を形成すると共に、前記機能部が前記操作面窓から露出し、
前記第１筐体と前記第２筐体が閉状態では、前記円弧形状部分以外の部分及び前記機能部が、前記副操作面窓と対面することにより前記副操作面窓から突出しない
ことを特徴とする折畳み式携帯機器。
【請求項６】
請求項４又は５に記載の折畳み式携帯機器において、
前記円弧形状部分以外の部分は平面形状部分である
ことを特徴とする折畳み式携帯機器。
【請求項７】
請求項２〜６のいずれか１項に記載の折畳み式携帯機器において、
前記第１筐体と前記第２筐体が開状態と閉状態の間では、前記支持部の少なくとも一部が副操作面窓から突出される
ことを特徴とする折畳み式携帯機器。
【請求項８】
請求項１に記載の折畳み式携帯機器において、
前記付加機能は、支持機能、画像入力機能又は画像出力機能の少なくとも一つを含む
ことを特徴とする折畳み式携帯機器。
【発明の詳細な説明】
【技術分野】
【０００１】
本発明は、ヒンジにより開閉可能な携帯機器に関する。
【背景技術】
【０００２】
現在、携帯電話、ＰＤＡ（Ｐｅｒｓｏｎａｌ  Ｄｉｇｉｔａｌ  Ａｓｓｉｓｔａｎｔ）、電子辞書、携帯型ゲーム機、ラップトップ型パソコン等、折畳み式携帯機器が多数存在している。これら折畳み式携帯機器は、表示部を備えた筐体と、キー等を配列した筐体とを有し、これらの筐体は回転可能に連結された構成を備えている。
【０００３】
このような折畳み式携帯機器が特許文献１〜３に開示されている。まず、特許文献１は、表示部を裏側に設けた開閉蓋と、キーボードを有する本体とを備え、歯車機構により開閉蓋の開閉動作に従動して、脚部を空間部の底面から突出させる電子機器を開示している。これによって、使用の際、キーボードを手前側に傾けることができ、操作性の高い電子機器を構成できる。この場合、開閉蓋の開閉動作を脚部に伝達する歯車機構が使用されている。
【０００４】
特許文献２は、上部筐体と下部筐体を回動可能に連結する連結部近傍の裏面側に、この裏面から外部へ向けて突出させられる持ち上げ脚を進退可能に設け、該持ち上げ脚が下部筐体と上部筐体との回動動作に連動して進退させる構成の折畳み式携帯機器を開示している。具体的に云えば、下部筐体の凹部に、連結部の長さ方向に間隔を置いた２箇所に、持ち上げ脚が設けられており、当該持ち上げ脚を連結部の回転に連動させて、突出或いは収納する構成が示されている。この場合、持ち上げ脚は渦巻きバネ、歯車機構等により出し入れされている。
【０００５】
特許文献３は、折畳み機構と連動して折畳み時には下部筐体内に収容され、且つ展開時には下部筐体外へせり出す支持脚を有する携帯機器を開示している。この場合、支持脚はコイルバネにより折畳み状態で下部筐体の内部に収納されている。
【先行技術文献】
【特許文献】
【０００６】
【特許文献１】実開平１１−２３８２号公報
【特許文献２】特開２０００−３４９８７６号公報
【特許文献３】特開２００１−１３６２５２号公報
【発明の概要】
【発明が解決しようとする課題】
【０００７】
特許文献１〜３は、連結部に結合、連動した歯車機構、バネ等を用いて、脚部、支持脚を下部筐体から出し入れする構成を開示している。しかしながら、小形化、薄形化が要求される折畳み式携帯機器に、歯車機構、バネ等により、支持脚等を筐体から出し入れする構造を設けることは、構造的に複雑で、コストの上昇を避けることができず、経済性の面で難点が多い。
【０００８】
更に、特許文献１では連結部から、特許文献２又は３では連結部近傍の下部筐体の裏面から突出しており、いずれも２箇所から突出している。この場合、各支持部同士の寸法差その他の要因により、各支持部の突出部の長さが異なる。そのため、平らな面で支持部を突出させて携帯機器を操作する場合、支持部のがたつきにより操作し難いこと、その結果、誤操作が生じるという問題がある。また、支持部が２箇所であるため部品点数が多く、生産性に悪影響を及ぼす可能性がある。
【０００９】
また、特許文献１〜３は、バネ等により連結部に結合した脚部、支持脚を出し入れする構造を開示しているだけであり、連結部にヒンジ機能以外の付加機能を付与することについて開示していない。
【００１０】
本発明は、連結部にヒンジ機能以外の付加機能、特に、支持機能を備えた折畳み式携帯機器を提供することを目的とする。
【課題を解決するための手段】
【００１１】
上記の目的を達成するために、第１筐体と、第２筐体と、第１筐体に連結されているヒンジ部と、第２筐体に連結され、ヒンジ部と回転可能に連結されたヒンジ本体とを有し、ヒンジ本体は、ヒンジ機能と該ヒンジ機能以外の付加機能を有することを特徴とする折畳み式携帯機器が得られる。
【００１２】
本発明の別の態様によれば、第１筐体と、第２筐体と、第１筐体に連結されているヒンジ部と、第２筐体に連結され、ヒンジ部とヒンジ回転軸を通して回転可能に連結されたヒンジ本体とを有し、ヒンジ本体は支持部を内含し、ヒンジ回転軸は第１筐体と支持部に連結し、第１筐体と第２筐体が開状態では、支持部はヒンジ本体から突出し、第１筐体と第２筐体が閉状態では、支持部はヒンジ本体から突出しないことを特徴とする折畳み式携帯機器が得られる。
【発明の効果】
【００１３】
本発明に係るヒンジ本体は、ヒンジ機能以外の付加機能を持たせることができ、特に、画像入力機能、画像出力機能、通信機能等をも有することができ、ヒンジ本体を有効に利用することができる。
【図面の簡単な説明】
【００１４】
【図１】本発明の一実施形態に係る電子辞書の第１筐体と第２筐体が開状態において、正面側から見た斜視図である。
【図２】本発明の一実施形態に係る電子辞書の第１筐体と第２筐体が開状態において、背面側から見た斜視図である。
【図３】本発明の一実施形態に係る電子辞書の第１筐体と第２筐体が開状態において、ヒンジ本体上でヒンジ回転軸に垂直に切断した断面図である。
【図４】本発明の一実施形態に係る電子辞書の第１筐体と第２筐体が閉状態において、正面側から見た斜視図である。
【図５】本発明の一実施形態に係る電子辞書の第１筐体と第２筐体が閉状態において、背面側から見た斜視図である。
【図６】本発明の一実施形態に係る電子辞書の第１筐体と第２筐体が閉状態において、ヒンジ本体上でヒンジ回転軸に垂直に切断した断面図である。
【図７】本発明の一実施形態に係る電子辞書の第１筐体と第２筐体が開状態と閉状態の間の状態において、ヒンジ本体上でヒンジ回転軸に垂直に切断した断面図である。
【発明を実施するための形態】
【００１５】
以下、本発明に係る折畳み式携帯機器として、電子辞書の一実施形態について説明する。
【００１６】
図１及び図２に示すように、第２筐体２に連結されたヒンジ本体４は、第１筐体１に連結されたヒンジ部３により、ヒンジ回転軸１１を通して回転可能に挟持されている。第１筐体１は表示部１２、第２筐体は操作部１３を備えている。ヒンジ回転軸１１は、第１筐体１と後述するヒンジ本体４の支持部５に連結している。
【００１７】
本発明において、ヒンジ本体４のヒンジ機能は、第１筐体１と第２筐体２を回転可能に連結するヒンジ機能、第１筐体１と第２筐体２の間のハーネス等を収納する機能及びヒンジ本体４の外装を装飾する機能を表し、付加機能はこれらの機能以外の機能を表す。
【００１８】
図３及び図６に示すように、電子辞書は、第１筐体１の表示部１２及び第２筐体２の操作部１３を有する操作面１４とその面と対向する副操作面１５を有する。また、ヒンジ本体４は、操作面窓６と副操作面窓７を有する。
【００１９】
第１筐体１と第２筐体２が開状態のとき、図１〜図３に示すように、操作面１４に操作面窓６、副操作面１５に副操作面窓７が露出する。第１筐体１と第２筐体２が閉状態においても、図４〜図６に示すように、副操作面１５に操作面窓６及び副操作面窓７が露出する。このとき、操作面窓６は、露出しなくてもよい。
【００２０】
副操作面窓７は、図１〜図３に示すように、ヒンジ回転軸１１の方向に沿って、矩形状を成し、ヒンジ本体の中央に位置している。また、操作面窓６は副操作面窓７と同一形状を成しており、副操作面窓７に対向している。操作面窓６及び副操作面窓７の位置や形状はこれに限らず、変化させることができる。
【００２１】
また、操作面窓６は孔でなくてもよく、ヒンジ本体４の機能に応じて、操作面窓６をカバーで覆う等することができる。例えば、後述するように、ヒンジ本体４が画像出力機能を有する場合、操作面窓６を透明や半透明のカバーで覆うことができる。また、ヒンジ本体４がこれらの色彩のカバーであれば、ヒンジ本体４自体で操作面窓６を覆うこともできる。
【００２２】
図３及び図６に示すように、ヒンジ本体４は支持部５を内含し、支持部５は副操作面窓７において、ヒンジ回転軸１１の方向に垂直な断面の形状として、円弧形状部分８と、平面形状部分９とを有している。該平面形状部分９には、機能部として液晶モジュール１０が置かれている。平面形状部分９は、平面形状に限らず、例えば、後述する図７のような形状としてもよい。
【００２３】
第１筐体１と第２筐体２が開状態では、図１〜図３に示すように、円弧形状部分８が副操作面窓７から突出して支持部５を形成すると共に、液晶モジュール１０が操作面窓６から露出する。この構成では、支持部５は置き面と線接触している。これにより、ヒンジ部６近傍の２点で支持する場合と比べ、操作時のがたつきが減少するため、誤操作が生じないという利点を有する。また、部品点数が少なくなり、生産性が向上する可能性がある。
【００２４】
一方、第１筐体１と第２筐体２が閉状態では、図４〜図６に示すように、平面形状部分９及び液晶モジュール１０が、副操作面窓７と対面することにより副操作面窓７から突出しない。
【００２５】
図７に示すように、液晶モジュール１０は、支持部５に埋め込まれた状態でもよく、この場合、第１筐体１と第２筐体２が開状態と閉状態の間の状態では、常に円弧形状部分８の少なくとも一部が副操作面窓７から突出し、支持部５を形成するため、開状態と同じ操作性を有するという利点がある。
【００２６】
このように、前記ヒンジ本体４は、支持機能及び画像出力機能を有し、付加機能として２つの機能を有する。また、ヒンジ本体４に、単機能、例えば、本実施形態において液晶モジュール１０を除いた支持機能のみ、又は、三つ以上の機能を追加させることもできる。即ち、ヒンジ本体４は、付加機能として少なくとも一つの機能を有することができる。
【００２７】
例えば、本実施形態では、ヒンジ本体４は、ヒンジ部３により、ヒンジ回転軸１１を通して回転可能に挟持されているが、ヒンジ部３は、ヒンジ本体４により挟持されることにより、挟持関係が逆でもよい。この場合、ヒンジ本体４の両側から突出する２つの支持部５により電子辞書を支持する。一方の平面形状部分９に本実施形態の液晶モジュール１０のような画像出力装置、もう一方に、画像入力装置を置くことにより、ヒンジ本体４は支持機能、画像入力機能及び画像出力機能の付加機能として３つの機能を有することができる。
【００２８】
また、本実施形態では、１箇所のヒンジ本体４が２箇所のヒンジ部３に回転可能に挟持されているが、この形態に限るものではない。例えば、ヒンジ部３が１箇所のみでもよく、この場合、ヒンジ部３及びヒンジ本体４が片側で回転可能に連結されることとなる。これにより、さらに部品点数を減少させるという利点を有する。
【００２９】
第１筐体１に連結しているヒンジ部３及び第２筐体２に連結しているヒンジ本体４について、ヒンジ部３及びヒンジ本体４の一部が各々連結している筐体に対して可動であってもよい。例えば、ヒンジ部３とヒンジ本体４の大きさ及び形状がどちらも本実施形態のヒンジ部３のものと同じ場合、第３筐体の一端をヒンジ部３、もう一端をヒンジ本体４で回転可能に挟持するとき、ヒンジ部３又はヒンジ本体４と第３筐体は、各々ヒンジ部３又はヒンジ本体４とみなすことができる。
【００３０】
本実施形態に示した付加機能の他に、一般の携帯電話において付与されているような通信機能等が挙げられる。
【産業上の利用可能性】
【００３１】
本発明は、本実施形態における電子辞書の他、携帯電話、ＰＤＡ（Ｐｅｒｓｏｎａｌ  Ｄｉｇｉｔａｌ  Ａｓｓｉｓｔａｎｔ）、携帯型ゲーム機、ラップトップ型パソコン等の折畳み式携帯機器に利用することができる。
【符号の説明】
【００３２】
１  第１筐体
２  第２筐体
３  ヒンジ部
４  ヒンジ本体
５  支持部
６  操作面窓
７  副操作面窓
８  円弧形状部分
９  平面形状部分
１０  液晶モジュール
１１  ヒンジ回転軸
１２  表示部
１３  操作部
１４  操作面
１５  副操作面
【図１】
2011120037.tif 000003
【図２】
2011120037.tif 000004
【図３】
2011120037.tif 000005
【図４】
2011120037.tif 000006
【図５】
2011120037.tif 000007
【図６】
2011120037.tif 000008
【図７】
2011120037.tif 000009